(57)【要約】【目的】書き筆跡入力装置において筆記具により発せられる信号を該ペンの位置座標データとして受け取る事が可能な受信装置と用紙をセットすることが可能な画板の確実な保持及び容易な着脱を目的とする。【構成】赤外線発信器及び超音波発信器を備えた筆記可能なペンと、該筆記具により発せられる信号を該ペンの位置座標データとして受け取る事が可能な受信装置及び用紙をセットすることが可能な画板からなる手書き筆跡入力装置。【選択図】  図１
2006065701.tif 000002
【特許請求の範囲】
【請求項１】
赤外線発信器及び超音波発信器を備えたペンと、該赤外線発信器及び超音波発信器を備えたペンにより発せられる信号を前記赤外線発信器及び超音波発信器を備えたペンの位置座標データとして受け取る事が可能な受信装置と、該受信装置と前記赤外線発信器及び超音波発信器を備えた筆記可能なペンで筆記するための被筆記体を載置するための画板からなる共に、前記受信装置と画板とにそれぞれ接続係合部を設け、前記受信装置を前記画板から着脱可能とした手書き筆跡入力装置であって、少なくとも一ケ所以上の前記受信装置と前記画板の接合部において、前記接続係合部の少なくとも一方を突起、他方をヒンジとしたことを特徴とする手書き筆跡入力装置。
【発明の詳細な説明】
【技術分野】
【０００１】
本発明は、赤外線発信器及び超音波発信器を備えた筆記可能なペンと、該筆記可能なペンにより発せられる信号を前記筆記可能なペンの位置座標データとして受け取る事が可能な受信装置及び用紙をセットすることが可能な画板からなる手書き筆跡入力装置に関する。
【背景技術】
【０００２】
従来、超音波又は赤外線及び超音波を発信する発信器を備えたペンと、該ペンから発信される信号を受信する複数の受信器を組み込んだ受信装置を有する手書き筆跡入力装置が開発されている。この手書き筆跡入力装置は、用紙がセットされる画板を備えており、用紙上にペンで筆記すると受信装置がペンから発信された超音波信号を複数の受信器により受信し、ペン先の位置座標データを検出する。前記位置座標データを連続的に検出することにより、書いた文字や図形等を手書き筆跡データとして認識する。
また用紙の種類によっては、画板に前記用紙をセットする事が出来ない場合があるので、受信装置にクリップの機構を持たせ、前記用紙を直接受信装置にセットして使用可能なものが知られている。
【特許文献１】特開２０００−２９８５４７号。
【発明の開示】
【発明が解決しようとする課題】
【０００３】
上記従来の手書き筆跡入力装置においては受信装置を画板に取付け、画板に用紙をセットする場合と、受信装置にクリップ機構を設けて用紙をセットする場合があるため、受信装置と画板との確実な保持、さらに着脱が容易に行なわれなければならないといった課題があった。
【課題を解決するための手段】
【０００４】
赤外線発信器及び超音波発信器を備えたペンと、該赤外線発信器及び超音波発信器を備えたペンにより発せられる信号を前記赤外線発信器及び超音波発信器を備えたペンの位置座標データとして受け取る事が可能な受信装置と、該受信装置と前記赤外線発信器及び超音波発信器を備えた筆記可能なペンで筆記するための被筆記体を載置するための画板からなる共に、前記受信装置と画板とにそれぞれ接続係合部を設け、前記受信装置を前記画板から着脱可能とした手書き筆跡入力装置であって、少なくとも一ケ所以上の前記受信装置と前記画板の接合部において、前記接続係合部の少なくとも一方を突起、他方をヒンジとしたことを特徴とする手書き筆跡入力装置。
【発明の効果】
【０００５】
受信装置と画板との確実な保持、さらに着脱が容易に行なわれる。
【発明を実施するための最良の形態】
【０００６】
本発明の詳細を図面を参照して説明する。図１は本発明の手書き筆圧入力装置を示す構成図である。本発明の手書き筆圧入力装置は、ペン１と受信装置２と画板３から構成されている。ペン１の先端部には赤外線及び超音波を発信する発信器が内蔵され、筆記している時にペン先が押し付けられることによりペン先端部から赤外線信号及び超音波信号が発信される。受信装置２は内蔵した複数の受信器（図示せず）により信号を受信し、赤外線信号と超音波信号を受け取るまでの時間差からペン先の動きを割り出す事ができる。前記位置座標データを連続的に検出することにより、書いた文字や図形等を手書き筆跡データとして認識する。
【０００７】
図２のように、画板３よりノート用紙４（市販のノートやレポート用紙の様に表紙を介して綴られているもの。）を取外し、受信装置２に設けられたクリップ（図示せず）に、任意のサイズの紙束５（１枚、１枚の紙を束ねたもの。）を差し込んで使用することも可能である。
【０００８】
また、画板３は可撓性を有すると共に、下敷きとして使用することが可能な強度を有する材料で構成されている。画板３の左右にはスリット６が設けられている。スリット６は画板３に積載するノート用紙４のサイズ（例えばＡ４サイズ）の用紙幅に合わせた長さに形成され、ノート用紙４の裏表紙に設けられた厚紙を挿入することにより、画板３にノート用紙４を固定することができると同時に、位置決めを行うこともできる。くぼみ７は画板３の他の部分に比べると１段低くなっている。ノート用紙４を載置する際、このくぼみ７が設けられていることにより確実に位置決めをすることができる。
【０００９】
本発明の実施の形態を図３から図５に示す実施例に基づいて詳細に説明する。受信装置２には左右対で突起８が設けられている。又、画板３側には突起９と溝１４により受信装置２の突起８を差し込むことが可能な形状が設けられている。つまり上下方向及び左右方向の保持はこの突起にて行う。画板３の受信装置２を差し込むスライド方向（前後方向）の奥側は受信装置２の底面がスライドする部分より一段高くなっており（参照符号１５）受信装置２を突き当てることにより、位置決めをすることができる。
画板３にはヒンジ１０が設けられている。ヒンジ１０の詳細を図４に示す。ヒンジ１０と受信装置２の端面１３が当接する部分は傾斜１２が付いており、受信装置２の端面１３が入り込み易い形状となっており、容易に受信装置２を装着することができる。受信装置２を取り外す際には図６のａ部を押すことにより、ヒンジ１０に設けられているため受信装置２の端面１３の下側に潜り込み、容易に取り外すことができる。
また、図４における押し部１１のように受信機２を画板３から取り外す際に、指で押す突起部分を、受信装置２がスライドする際に接触しない程度に高さを設けることにより小さい力で撓ませることが可能である。
【００１０】
図７は第２の実施例であり、ヒンジ１０の設置箇所を１カ所にしたものである。上記した実施例と同様に、受信装置２（図１参照）を画板３に載置して図示しないペン１から発せられる赤外線及び超音波を受信するものである。
受信装置２の大きさまたは形状が変わっても、受信装置２を保持することが可能であれば、ヒンジ１０の設置箇所は１カ所でも不具合は生じないものである。なお、受信装置２を画板３への取り付け方、取り外し方は上記した実施例と同様である。
尚、上記した実施例では受信装置２に突起８、画板３に前記突起８を係合する溝１４を設けたが、反対に突起８を画板３に設け、溝１４を受信装置２に設けても良いものである。また、画板３に設けたヒンジ１０を受信装置２に設け、突起８を画板３に設けても良いものである。
【図面の簡単な説明】
【００１１】
【図１】手書き筆跡入力装置の構成の斜視図。
【図２】受信装置単体に紙束をセットした場合の斜視図。
【図３】画板と受信装置の斜視図。
【図４】画板の突起部の斜視図。
【図５】ヒンジの状態を示した断面図。
【図６】ヒンジの状態を示した断面図。
【図７】他の実施例。
【符号の説明】
【００１２】
１      ペン
２      受信装置
３      画板
４      ノート用紙
５      紙束
６      スリット
７      くぼみ
８      突起
９      突起
１０    突起
１１    押し部
１２    傾斜
１３    受信装置２の端面
１４    溝
１５    高くなっている部分
【図１】
2006065701.tif 000003
【図２】
2006065701.tif 000004
【図３】
2006065701.tif 000005
【図４】
2006065701.tif 000006
【図５】
2006065701.tif 000007
【図６】
2006065701.tif 000008
【図７】
2006065701.tif 000009